(57)【要約】【課題】本発明は、保冷パック等を挿抜（脱・着）したり、留め具を備える必要が無く取り扱い便利であり、首周りの保冷性に優れ、かつ、首周りの装飾性にも富む首周り保冷装飾具を提供するものである。【解決手段】本発明に係る首周り保冷装飾具１は、細長袋帯状に形成されるとともに、含水により保冷効果を発揮する接触冷感素材生地１１を少なくとも一面側に有する外被材２と、外被材２の一端側両隅部に配置したホック等からなる留め付け具３と、を有し、外被材２の一部を首周りに巻き付け、留め付け具３により外被材２の一部分を囲み留めしつつ他端側を垂れ下げてスカーフ形態として、接触冷感素材生地１１による首周りの保冷と外被材２の巻き付け及び垂れ下げによる首周りの装飾とを行う構成とした。【選択図】図１
2014141755.tif 000002
【特許請求の範囲】
【請求項１】
細長袋帯状に形成されるとともに、含水により保冷効果を発揮する接触冷感素材生地を少なくとも一面側に有する外被材と、
前記外被材自体に設けた外被材の一部を首周りに留め付ける留め付け具と、
を有し、
前記外被材を首周りに巻き付け留め付けた状態で前記接触冷感素材生地による首周りの保冷と、首周りの装飾とを行うようにしたことを特徴とする首周り保冷装飾具。
【請求項２】
細長袋帯状に形成されるとともに、含水により保冷効果を発揮する接触冷感素材生地を少なくとも一面側に有する外被材と、
前記外被材の一端側両隅部に配置したホック又はスナップボタン等からなる留め付け具と、
を有し、
前記外被材の一部を首周りに巻き付け、前記留め付け具により外被材の一部分を囲み留めしつつ他端側を垂れ下げてスカーフ形態として前記接触冷感素材生地による首周りの保冷と、前記外被材巻き付け及び垂れ下げによる首周りの装飾とを行うようにしたことを特徴とする首周り保冷装飾具。
【請求項３】
細長袋帯状に形成されるとともに、含水により保冷効果を発揮する接触冷感素材生地を一面側に、吸汗性・速乾性素材生地を他面側に備える外被材と、
前記外被材の一端側両隅部に配置したホック又はスナップボタン等からなる留め付け具と、
を有し、
前記外被材の一部を首周りに巻き付け、前記留め付け具により外被材の一部分を囲み留めしつつ他端側を垂れ下げてスカーフ形態として前記接触冷感素材生地による首周りの保冷及び前記吸汗性・速乾性素材生地による吸汗と、前記外被材巻き付け及び垂れ下げによる首周りの装飾とを行うようにしたことを特徴とする首周り保冷装飾具。
【請求項４】
細長袋帯状に形成されるとともに、含水により保冷効果を発揮する接触冷感素材生地を一面側に、吸汗性・速乾性素材生地を他面側に備える外被材と、
前記外被材内部に収納したマイクロファイバー材と、
前記外被材の一端側両隅部に配置したホック又はスナップボタン等からなる留め付け具と、
を有し、
前記外被材の一部を首周りに巻き付け、前喉留め付け具により外被材の一部分を囲み留めしつつ他端側を垂れ下げてスカーフ形態として前記接触冷感素材生地による首周りの保冷及び前記吸汗性・速乾性素材生地による吸汗と、前記外被材巻き付け及び垂れ下げによる首周りの装飾とを行うようにしたことを特徴とする首周り保冷装飾具。
【請求項５】
全体として細長袋帯状で両端部が襟先状に形成されるとともに、外部に表出させる表生地と、含水により保冷効果を発揮する接触冷感素材生地からなる裏生地とを重合した外被材と、
前記外被材自体に設けたこの外被材の両端部を使用者の首周りの近傍位置で留め付ける留め付け具と、
を有し、
前記外被材を接触冷感素材生地からなる裏生地を首周りに接触させる状態で巻き付けて、前記留め付け具により前記外被材の両端部を使用者の首周りの近傍位置で留め付けて付け襟形態とし、前記裏生地による首周りの保冷と、前記表生地による首周りの装飾とを行うようにしたことを特徴とする首周り保冷装飾具。
【請求項６】
全体として細長袋帯状で両端部が襟先状に形成されるとともに、襟先部分に装飾ボタンを付けた綿材等からなる表生地と、含水により保冷効果を発揮する接触冷感素材生地からなる裏生地とを重合した外被材と、
前記外被材自体に設けたこの外被材の両端部を使用者の首周りの近傍位置で留め付けるリボンからなる留め付け具と、
を有し、
前記外被材を接触冷感素材生地からなる裏生地を首周りに接触させる状態で巻き付けて、前記リボンにより前記外被材の両端部を使用者の首周りの近傍位置で留め付けて付け襟形態とし、前記裏生地による首周りの保冷と、前記表生地、リボン及び装飾ボタンによる首周りの装飾とを行うようにしたことを特徴とする首周り保冷装飾具。
【請求項７】
全体として細長袋帯状で両端部が襟先状に形成されるとともに、装飾加工された綿材等からなる表生地と、含水により保冷効果を発揮する接触冷感素材生地からなる裏生地とを重合した外被材と、
前記外被材自体に設けたこの外被材の両端部を使用者の首周りの近傍位置で留め付けるフックからなる留め付け具と、
を有し、
前記外被材を接触冷感素材生地からなる裏生地を首周りに接触させる状態で巻き付けて、前記フックにより前記外被材の両端部を使用者の首周りの近傍位置で留め付けて付け襟形態とし、前記裏生地による首周りの保冷と、前記装飾加工された表生地による首周りの装飾とを行うようにしたことを特徴とする首周り保冷装飾具。
【請求項８】
前記外被材内部にマイクロファイバー材を収納してなることを特徴とする請求項５乃至７のいずれかに記載の首周り保冷装飾具。
【発明の詳細な説明】
【技術分野】
【０００１】
本発明は、保冷パック等を挿抜（脱・着）したり、留め具を備える必要が無く取り扱い便利であり、首周りの保冷性に優れ、かつ、首周りの装飾性にも富む首周り保冷装飾具に関するものである。
【背景技術】
【０００２】
首周り保冷装飾具の一種である保冷スカーフに関しては、従来からポリマー生地使用のもの、ＰＶＡタオル生地使用のもの等種々の構成からなるものが提案されている。
【０００３】
ポリマー生地使用の保冷スカーフは、一度給水すると排水することができないため、汗をかいた時に汗の成分を素材中に保持してしまい、肌荒れの原因となってしまう。
【０００４】
一方、ＰＶＡタオル生地使用の保冷スカーフは、乾いた時に固くなる性質から持ち運び、保管に不便さを伴う。
【０００５】
また、乾かす前にその形状を固定（小さくして保管したいときには濡れている状態において畳んでおく）することから、乾きにくくカビ発生の原因にもなる。
更に、従来から販売されている保冷スカーフ製品は、結んだり付属のリングを使用して首周りにフィットさせるものが多い。
【０００６】
そして、濡らして涼感を得る製品の場合、濡れた生地を結ぶと固く締ってしまい、ほどくのが困難になり、再度涼感を得るために水に浸ける際に不便だったり、何かに引っかかった際使用者の首が締り重大な事故につながる要因となってしまう。
【０００７】
また、付属のリングを使用するものでは、リングを失くしてしまい以降の使用に不便を来たす場合もある。
【０００８】
更にまた、ポリマー使用の保冷スカーフやＰＶＡタオル生地使用の保冷スカーフは、洗濯する際に洗剤を使用した場合、洗剤成分が素材に保持されてしまい、洗濯ができないか又は雑菌が素材中に残り、使用者の肌のかぶれ、肌荒れや湿疹の原因になるという不都合な事態が生じる。
【０００９】
特許文献１には、第１布地と第２布地とが縫合されて構成されるとともに、所定部位に発熱材等を挿抜（脱・着）するためのポケットを形成し、更に、使用者の首に巻き付けたときに留め付ける留め具を有する構成とした保冷スカーフが提案されている。
【００１０】
特許文献１の保冷スカーフの場合、所定部位にポケットを形成し発熱材等を挿抜（脱・着）する構成であるとから取り扱いが煩雑であるとともに、既述した場合と同様、留め具を失くして以降の使用に不便を来たす場合も生じる。
【先行技術文献】
【特許文献】
【００１１】
【特許文献１】登録実用新案第３１５５４８７号公報
【発明の概要】
【発明が解決しようとする課題】
【００１２】
本発明が解決しようとする問題点は、保冷パック等を挿抜（脱・着）したり、別部品である留め具を備える必要が無く取り扱い便利であり、また、使用者の肌のかぶれ、肌荒れの惧れもなく、首周りの保冷性に優れ、かつ、首周りの装飾性にも富むような首周り保冷装飾具が存在しない点である。
【課題を解決するための手段】
【００１３】
本発明に係る首周り保冷装飾具は、細長袋帯状に形成されるとともに、含水により保冷効果を発揮する接触冷感素材生地を少なくとも一面側に有する外被材と、前記外被材自体に設けた外被材の一部を首周りに留め付ける留め付け具と、を有し、前記外被材を首周りに巻き付け留め付けた状態で前記接触冷感素材生地による首周りの保冷と、首周りの装飾とを行うようにしたことを最も主要な特徴とする
【発明の効果】
【００１４】
請求項１記載の発明によれば、保冷パック等を挿抜（脱・着）したり、別部品である留め具を備える必要が無く、取り扱い便利であり、首周りの保冷性に優れ、かつ、首周りの装飾性にも富む首周り保冷装飾具を実現し提供することができる。
【００１５】
請求項２記載の発明によれば、細長袋帯状に形成されるとともに、含水により保冷効果を発揮する接触冷感素材生地を少なくとも一面側に有する外被材と、前記外被材の一端側両隅部に配置したホック又はスナップボタン等からなる留め付け具を有する構成の基に、外被材の一部を使用者の首周りに巻き付け、ホック又はスナップボタン等からなる留め付け具により、外被材の一部分を囲み留めしつつ他端側を垂れ下げてスカーフ形態として使用に供することにより、保冷パック等を挿抜（脱・着）したり、別部品である留め具を備える必要が無く、取り扱い便利であり、首周りの保冷性に優れ、かつ、首周りの装飾性にも富む首周り保冷装飾具を実現し提供することができる。
【００１６】
請求項３記載の発明によれば、細長袋帯状に形成されるとともに、含水により保冷効果を発揮する接触冷感素材生地を一面側に、吸汗性・速乾性素材生地を他面側に備える外被材と、前記外被材の一端側両隅部に配置したホック又はスナップボタン等からなる留め付け具と、を有する構成の基に、外被材の一部を使用者の首周りに巻き付け、ホック又はスナップボタン等からなる留め付け具により、外被材の一部分を囲み留めしつつ他端側を垂れ下げてスカーフ形態として使用に供することにより、保冷パック等を挿抜（脱・着）したり、別部品である留め具を備える必要が無く、取り扱い便利であり、首周りの保冷性に優れ、かつ、首周りの装飾性にも富み、更に、垂れ下げた外被材の一部を構成する吸汗性・速乾性素材生地の部分汗拭き具として利用することも可能な首周り保冷装飾具を実現し提供することができる。
【００１７】
請求項４記載の発明によれば、細長袋帯状に形成されるとともに、含水により保冷効果を発揮する接触冷感素材生地を一面側に、吸汗性・速乾性素材生地を他面側に備える外被材と、前記外被材内部に収納したマイクロファイバー材と、前記外被材の一端側両隅部に配置したホック又はスナップボタン等からなる留め付け具と、を有する構成の基に、外被材の一部を使用者の首周りに巻き付け、ホック又はスナップボタン等からなる留め付け具により、外被材の一部分を囲み留めしつつ他端側を垂れ下げてスカーフ形態として使用に供することにより、保冷パック等を挿抜（脱・着）したり、別部品である留め具を備える必要が無く、取り扱い便利であり、首周りの保冷性に優れ、かつ、首周りの装飾性にも富み、更に、垂れ下げた外被材の一部を構成する吸汗性・速乾性素材生地の部分汗拭き具として利用することも可能であり、加えて、外被材内部に収納したマイクロファイバー材により洗濯時の洗剤成分の滞留を無くして使用者の肌のかぶれ、肌荒れ、湿疹等の発生を回避することもできる首周り保冷装飾具を実現し提供することができる。
【００１８】
請求項５記載の発明によれば、全体として細長袋帯状で両端部が襟先状に形成されるとともに、外部に表出させる表生地と、含水により保冷効果を発揮する接触冷感素材生地からなる裏生地とを重合した外被材と、前記外被材自体に設けたこの外被材の両端部を使用者の首周りの近傍位置で留め付ける留め付け具と、を有し、接触冷感素材生地からなる裏生地を首周りに接触させる状態で巻き付け、前記留め付け具により前記外被材の両端部を使用者の首周りの近傍位置で留め付けて付け襟形態として、前記裏生地による首周りの保冷と、前記表生地による首周りの装飾とを行うことができる首周り保冷装飾具を実現し提供することができる。
【００１９】
請求項６記載の発明によれば、全体として細長袋帯状で両端部が襟先状に形成されるとともに、襟先部分に装飾ボタンを付けた綿材等からなる表生地と、含水により保冷効果を発揮する接触冷感素材生地からなる裏生地とを重合した外被材と、前記外被材自体に設けたこの外被材の両端部を使用者の首周りの近傍位置で留め付けるリボンからなる留め付け具と、を有し、前記外被材を接触冷感素材生地からなる裏生地を首周りに接触させる状態で巻き付け、前記リボンにより前記外被材の両端部を使用者の首周りの近傍位置で留め付けて付け襟形態として、前記裏生地による首周りの保冷と、前記表生地、リボン及び装飾ボタンによる首周りの装飾とを行うことができる首周り保冷装飾具を実現し提供することができる。
【００２０】
請求項７記載の発明によれば、全体として細長袋帯状で両端部が襟先状に形成されるとともに、装飾加工された綿材等からなる表生地と、含水により保冷効果を発揮する接触冷感素材生地からなる裏生地とを重合した外被材と、前記外被材自体に設けたこの外被材の両端部を使用者の首周りの近傍位置で留め付けるフックからなる留め付け具と、を有し、前記外被材を接触冷感素材生地からなる裏生地を首周りに接触させる状態で巻き付け、前記フックにより前記外被材の両端部を使用者の首周りの近傍位置で留め付けて付け襟形態として、前記裏生地による首周りの保冷と、前記装飾加工された表生地による首周りのより効果的な装飾とを行うことができる首周り保冷装飾具を実現し提供することができる。
【００２１】
請求項８記載の発明によれば、請求項５乃至７のいずれかに記載の首周り保冷装飾具において、前記外被材内部にマイクロファイバー材を収納した構成としているので、請求項５乃至７のいずれかに記載の発明の効果を発揮するとともに、外被材内部に収納したマイクロファイバー材により洗濯時の洗剤成分の滞留を無くして使用者の肌のかぶれ、肌荒れ、湿疹等の発生を回避することもできる首周り保冷装飾具を実現し提供することができる。
【図面の簡単な説明】
【００２２】
【図１】図１は本発明の実施例１に係るスカーフ型の首周り保冷装飾具の表面図である。
【図２】図２は図１のＡ−Ａ線概略断面図である。
【図３】図３は本実施例１に係る首周り保冷装飾具を首周りに巻き付ける手順の最初の段階を示す説明図である。
【図４】図４は本実施例１に係る首周り保冷装飾具を首周りに巻き付ける手順中の留め付け具側の上に吊り下げ側の途中部分を二つに折って乗せる段階を示す説明図である。
【図５】図５は本実施例１に係る首周り保冷装飾具を首周りに巻き付ける手順中の留め付け具側の部分により吊り下げ側の途中部分を囲み込み留める段階を示す説明図である。
【図６】図６は本実施例１に係る首周り保冷装飾具を首周りに巻き付ける手順中の吊り下げ側の長さ調節段階を示す説明図である。
【図７】図７は本実施例１に係る首周り保冷装飾具を首周りに巻き付ける手順の終了状態を示す説明図である。
【図８】図８は本発明の実施例１に係る首周り保冷装飾具の他例の概略断面図である。
【図９】図９は本発明の実施例２に係る付け襟型の首周り保冷装飾具の表面図である。
【図１０】図１０は図９のＢ−Ｂ線概略断面図である。
【図１１】図１１は本実施例２に係る首周り保冷装飾具の首周りへの取り付け形態を示す概略斜視図である。
【図１２】図１２は本実施例２に係る付け襟型の首周り保冷装飾具の別の例を示す表面図である。
【図１３】図１３は図１２に示す首周り保冷装飾具の首周りへの取り付け形態を示す概略斜視図である。
【図１４】図１４は本実施例２に係る付け襟型の首周り保冷装飾具の更に別の例を示す表面図である。
【図１５】図１５は本実施例２に係る付け襟型の首周り保冷装飾具の構造変形例である首周り保冷装飾具を示す概略断面図である。
【発明を実施するための形態】
【００２３】
本発明は、保冷パック等を挿抜（脱・着）したり、留め具を備える必要が無く取り扱い便利であり、首周りの保冷性に優れ、かつ、首周りの装飾性にも富む首周り保冷装飾具を提供するという目的を、細長袋帯状に形成されるとともに、含水により保冷効果を発揮する接触冷感素材生地を少なくとも一面側に有する外被材と、前記外被材の一端側両隅部に配置したホック又はスナップボタン等からなる留め付け具と、を有し、前記外被材の一部を首周りに巻き付け、前記留め付け具により外被材の一部分を囲み留めしつつ他端側を垂れ下げてスカーフ形態として、前記接触冷感素材生地による首周りの保冷と、前記外被材巻き付け及び垂れ下げによる首周りの装飾とを行う構成により実現した。
【実施例】
【００２４】
以下、本発明の実施例に係る首周り保冷装飾具について図面を参照して詳細に説明する。
【００２５】
（実施例１）
本発明の実施例１に係る首周り保冷装飾具１について図１乃至図７を参照して詳細に説明する。
【００２６】
本実施例１に係る首周り保冷装飾具１は、図１、図２に示すように、例えば、細長長方形状で、含水により保冷効果を発揮するとともにメッシュ状に形成した接触冷感素材生地１１を一面側とし、同じく細長長方形状で、吸汗性・速乾性素材生地１２を他面側として、これらを袋縫いの形態で縫合し、全体として細長袋帯状に形成した外被材２と、前記外被材２の一端側両隅部に、図１に示すように、上下に一定の間隔をおいて配置した一対構成からなる留め付け具３と、を有している。
【００２７】
前記留め付け具３は、例えば一対構成のホック（図１に示すホック・オス４、ホック・メス５）により構成している。留め付け具３としては、この他スナップボタン等を用いて構成することもできる。
【００２８】
前記首周り保冷装飾具１の全体寸法の一例を挙げると、例えば長さ５０ｃｍ〜１００ｃｍ、幅８ｃｍ〜１０ｃｍの範囲としている。
【００２９】
更に、前記首周り保冷装飾具１は、前記留め付け具３を設けた一端側から他端側（吊り下げ側）に至るにしたがい漸減する形状とし、一端側と他端側との幅寸法差１ｃｍ程度となるように形成している。
【００３０】
前記した接触冷感素材生地１１は、例えばキュープラテ（（株）東レ：登録商標）を素材（可視光線や紫外線を効率的に遮蔽する特殊無機粒子をナイロンポリマー中にブレンドした素材で、防透け性とＵＶカット機能を発揮する）として採用したものであり、水分を与えるとナイロンポリマー繊維の作用をもって気化熱で冷却効果を発揮する高吸放湿機能を有し、本実施例１に係る首周り保冷装飾具１を首周りに巻き付けて使用すると、首周りの保冷効果を発揮し快適な保冷感を得ることがでる。
なお、前記接触冷感素材生地１１は、例えばキュープラテを素材として採用していることから、本実施例１に係る首周り保冷装飾具１を首周りに巻き付けて使用した場合、当該素材中の特殊無機粒子の作用をもって、首周り等の日焼け防止効果を発揮するＵＶカット機能も有する。
【００３１】
前記した吸汗性・速乾性素材生地１２は、例えばセオα（（株）東レ：登録商標）を素材（超微細な溝を持つ異形断面の糸と丸断面の糸がランダムに組み合わせられ、ねじれを与えた独特の構造を有する素材）として採用したものであり、優れた吸汗性・速乾性を発揮するものである。
【００３２】
次に、本実施例１に係る首周り保冷装飾具１を、使用者の首周りに巻き付ける具体的手順について図３乃至図７を参照して説明する。
【００３３】
本実施例１に係る首周り保冷装飾具１を使用者の首周りに巻き付けるには、まず、図３に示すように、首周り保冷装飾具１の留め付け具３を設けた一端側を使用者の右肩から、他端側（吊り下げ側）を左肩側から各々首周りに巻き付け、留め付け具３を設けた一端側を使用者の胸元に配置する。
【００３４】
次に、図４に示すように、留め付け具３側の上に吊り下げ側の途中部分を二つに折って細くした状態にして乗せる。
【００３５】
次に、図５に示すように、細くした吊り下げ側の途中部分を留め付け具３側で囲み包み込むようにしてホック又はスナップボタン等の留め付け具３により留め付ける。
これにより、首周り保冷装飾具１の留め付けた部分より先方の吊り下げ側は使用者の胸元から下方に垂れ下がる状態となる。
【００３６】
この状態で、図６に示すように、使用者が留め付け具３で留めた部分を右手で持ちつつ吊り下げ側を左手で下方に引っ張ることにより、留め付け具３で留めた部分の位置が上方に移動し、留め付け具３で留めた部分が、図７に示すように、首の近くに位置する状態となりネクタイ風のスカーフ形態の基に、首周りのきつさ、吊り下げ側の長さが適切に調整され、使用者の使用感の最適化と、首周り及び胸元の装飾効果を高めることができる。
【００３７】
以上説明した本実施例１に係る首周り保冷装飾具１によれば、この首周り保冷装飾具１自体が接触冷感素材生地１１による首周りの保冷効果を発揮するので、上述したような態様で首周りに巻き付け、留め付け具３で留めて首周りのきつさ、吊り下げ側の長さを調節するだけの簡略操作だけで従来例のような保冷パック等を挿抜（脱・着）するというような煩雑さを伴うことなく快適な保冷感を得ることがでる。
【００３８】
同時に首周り及び胸元の装飾性、すなわち、見た目の良好さ、おしゃれ効果を実現することが可能となるとともに、吊り下げ側の吸汗性・速乾性素材生地１２をタオル替わりの汗拭き具として使用することも可能となる。
【００３９】
また、首周り保冷装飾具１自体に留め付け具３を設けているので、別部品である留め具を備える必要が無くなり、留め具を失くすというような心配もなくなり、取り扱いが極めて便利となる。
【００４０】
更に、本実施例１に係る首周り保冷装飾具１によれば、上述したような首周りへの取り付け時の簡略操作性により、若い女性の首周りへはもちろんのこと小児や年配者の首周りへの取り付けも簡略容易となる。
【００４１】
本実施例１に係る首周り保冷装飾具１によれば、細くした吊り下げ側の途中部分を留め付け具３側で囲み包み込むようにして留め付け具３で留める構成としているので、首周り保冷装飾具１の一部が何かに引っかかったりした場合も留め付け具３を解放状態とすることで首周りからすっと抜き取ることができ、首が締るというような不都合な事態を回避できる。
【００４２】
図８は本実施例１に係る首周り保冷装飾具１の他例である首周り保冷装飾具１Ａの構成を示す概略断面図であり、この首周り保冷装飾具１Ａは、基本的構成は図２に示す首周り保冷装飾具１と同様であるが、外被材２を構成する接触冷感素材生地１１と、吸汗性・速乾性素材生地１２との間に、マイクロファイバー（microfiber）材１３を収納したことが特徴である。
【００４３】
なお、首周り保冷装飾具１Ａの外観形態は図示しないが既述した首周り保冷装飾具１の場合と同様である。
【００４４】
前記マイクロファイバー材１３は、公知のように化学的に組成された例えば８マイクロメートル以下の極細のナイロンやポリエステルなどの繊維で構成され、綿と同等以上の吸水性や通気性、速乾性を持たせた素材である。
【００４５】
この首周り保冷装飾具１Ａによれば、既述した首周り保冷装飾具１の場合と同様な効果を発揮させることができ、更に、前記マイクロファイバー材１３を外被材２の内部に内装していることから、この首周り保冷装飾具１Ａを洗剤を用いて洗濯した場合にも、洗剤成分はマイクロファイバー材１３内に留まることはなく、これにより、使用者の肌のかぶれ、肌荒れ、湿疹等の発生を回避することができる。
【００４６】
なお、前記首周り保冷装飾具１又は首周り保冷装飾具１Ａによる首周りの巻き付け形態は、上述したネクタイ風とする他、前記留め付け具３を使用しない種々の形態、例えば図示しないがアスコット形態、リボン結び形態、片結び形態等として実施することができる。
【００４７】
この場合、前記留め付け具３は、ホック又はスナップボタン等を用いて構成しているので、外被材２の生地面からの突出寸法は僅少であり、前記首周り保冷装飾具１又は首周り保冷装飾具１Ａをアスコット形態、リボン結び形態、片結び形態とする場合においても、前記留め付け具３が邪魔となることは無い。
【００４８】
（実施例２）
本発明の実施例２に係る首周り保冷装飾具１Ｂについて図９乃至図１１を参照して詳細に説明する。
【００４９】
本実施例２に係る首周り保冷装飾具１Ｂは、図９、図１０に示すように、全体として細長袋帯状で両端部が襟先状に形成されるとともに、襟先部分に装飾ボタン２５、２５を付けた綿材又はテトロン・コットン等からなる表生地２２と、含水により保冷効果を発揮する実施例１の場合と同様な接触冷感素材生地からなる裏生地２３とを袋縫い形態で重合した外被材２１と、前記外被材２１自体に設けたこの外被材２１の両端部を使用者の首周りの近傍位置で留め付ける紐状のリボン形態からなる留め付け具２４と、を有している。
【００５０】
前記表生地２２の両端部を占める襟先部分には、各々例えば星形状の装飾ボタン２５、２５を取り付けている。
【００５１】
前記外被材２１は、全体として平面視略台形状に形成され、かつ、その寸法例の一例を挙げると、長さ寸法Ｌは例えば３９ｃｍ、幅寸法Ｗは両端部において例えば６ｃｍに設定している。
【００５２】
また、前記外被材２１の底辺側中央部は上辺側に湾曲形成されて、両端部より狭幅に設定され、その寸法例の一例を挙げると、最も狭い幅寸法Ｗ１を５ｃｍとしている。
【００５３】
なお、これらの形状、寸法は一例であり、前記外被材２１は種々の形状、寸法に設定できることは言うまでもない。
【００５４】
前記留め付け具２４は、前記外被材２１の上辺側両端部に各々一端を逢着した第１リボン２６、第２リボン２７からなり、これらの突出長を共に３０ｃｍ程度としている。
【００５５】
図１１は本実施例２に係る首周り保冷装飾具１Ｂの使用者の首周りへの取り付け形態を示すものであり、前記外被材２１を接触冷感素材生地からなる裏生地２３を首周りに接触させる状態で巻き付け、前記第１リボン２６、第２リボン２７により前記外被材２１の上辺両端部を使用者の首周りの近傍位置で留め付け、前記第１リボン２６、第２リボン２７の結び目を使用者の首周りの近傍位置に位置させ、かつ、前記第１リボン２６、第２リボン２７の突出端側を下方に垂れ下げ、全体として付け襟形態として実用に供するものである。
【００５６】
本実施例２に係る首周り保冷装飾具１Ｂによれば、上述したような使用者の首周りへの取り付け形態、すなわち、付け襟形態によって、前記接触冷感素材生地からなる裏生地２３による使用者の首周りの保冷効果と、前記表生地２２、装飾ボタン２５、２５及び前記第１リボン２６、第２リボン２７による首周りのファッション性に富む装飾効果とを発揮させることができる。
【００５７】
そして、従来の保冷スカーフでは合わせにくいフォーマルなブラウス等の衣装に付加して使用することが可能となり、若い女性等のような外観にこだわりの強い消費者層の購買意欲を喚起することが可能となる。
【００５８】
図１２は本実施例２の別の例である首周り保冷装飾具１Ｃを示すものであり、この首周り保冷装飾具１Ｃは、図９に示す首周り保冷装飾具１Ｂと略同様な構成であるが、前記リボン形態からなる留め付け具２４に替えて、外被材２１の上辺側両端部に各々フック金具３２、ループ金具３３からなる留め付け具としてのフック３１を取り付けたことが特徴である。
【００５９】
この首周り保冷装飾具１Ｃは、図１３に示すように、前記外被材２１を接触冷感素材生地からなる裏生地２３を使用者の首周りに接触させる状態で巻き付け、前記フック金具３２をループ金具３３に掛け留めることにより、前記外被材２１の上辺両端部を使用者の首周りの近傍位置で留め付けことにより、全体として付け襟形態として実用に供するものである。
【００６０】
この首周り保冷装飾具１Ｃによれば、前記接触冷感素材生地からなる裏生地２３による使用者の首周りの保冷効果と、前記表生地２２、装飾ボタン２５、２５による首周りのファッション性に富む装飾効果とを発揮させることができる。
【００６１】
そして、前記首周り保冷装飾具１Ｂの場合と同様、従来の保冷スカーフでは合わせにくいフォーマルなブラウス等の衣装に付加して使用することが可能となり、若い女性等のような外観にこだわりの強い消費者層の購買意欲を喚起することが可能となる。
【００６２】
図１４は本実施例２の更に別の例である首周り保冷装飾具１Ｄを示すものであり、この首周り保冷装飾具１Ｃは、図１２、図１３に示す首周り保冷装飾具１Ｂと略同様な構成で、かつ、同様な使用形態を採用するものであるが、前記装飾ボタン２５付きの表生地２２に替えて、前記表生地２２と同様な生地を用い、かつ、例えばレース網のような装飾性の高い表生地２２Ａを用いたことが特徴である。
【００６３】
この首周り保冷装飾具１Ｄによれば、前記接触冷感素材生地からなる裏生地２３による使用者の首周りの保冷効果と、レース網構造とした表生地２２Ａによる首周りのファッション性に富む装飾効果とを発揮させることができる。
【００６４】
そして、この首周り保冷装飾具１Ｄによれば、前記首周り保冷装飾具１Ｃの場合と同様、従来の保冷スカーフでは合わせにくいフォーマルなブラウス等の衣装に付加して使用することが可能となり、若い女性等のような外観にこだわりの強い消費者層の購買意欲を喚起することが可能となる。
【００６５】
図１５は、本実施例２に係る付け襟型の首周り保冷装飾具１Ｂの構造変形例である首周り保冷装飾具１Ｅを示すものである。
【００６６】
この首周り保冷装飾具１Ｅは、実施例２に係る付け襟型の首周り保冷装飾具１Ｂと略同様な構成であるが、前記表生地２２と、裏生地２３とからなる外被材２１の内部にマイクロファイバー材１３を収納したことが特徴である。
【００６７】
なお、首周り保冷装飾具１Ｅの外観形態は図示しないが既述した首周り保冷装飾具１Ｂの場合と同様である。
【００６８】
図１５に示す首周り保冷装飾具１Ｅの場合には、既述した実施例２に係る付け襟型の首周り保冷装飾具１Ｂの場合と同様な効果を発揮させることができる
【００６９】
加えて、前記外被材２１の内部にマイクロファイバー材１３を収納したことにより、この首周り保冷装飾具１Ｅを洗剤を用いて洗濯した場合にも、洗剤成分はマイクロファイバー材１３内に留まることはなく、これにより、実施例１の場合と同様、使用者の肌のかぶれ、肌荒れ、湿疹等の発生を回避することができる。
【００７０】
図１２、図１３に示す首周り保冷装飾具１Ｃ、図１４に示す首周り保冷装飾具１Ｄの場合においても前記外被材２１の内部にマイクロファイバー材１３を収納した構成とすることができ、これらの場合においても、図１５に示す首周り保冷装飾具１Ｅの場合と同様、使用者の肌のかぶれ、肌荒れ、湿疹等の発生を回避することができる。
【産業上の利用可能性】
【００７１】
本発明の首周り保冷装飾具は、襟を有しないブラウスやフォーマルウェア等と組み合わせる使用態様の基に、首周りの保冷性、首周りの装飾性に富む斬新な首周り保冷装飾具として好適に利用可能である。
【符号の説明】
【００７２】
１    保冷装飾具
１Ａ  保冷装飾具
１Ｂ  保冷装飾具
１Ｃ  保冷装飾具
１Ｄ  保冷装飾具
１Ｅ  保冷装飾具
２    外被材
３    留め付け具
４    ホック・オス
５    ホック・メス
１１    接触冷感素材生地
１２    吸汗性・速乾性素材生地
１３    マイクロファイバー材
２１    外被材
２２    表生地
２２Ａ  表生地
２３    裏生地
２４    留め付け具
２５    装飾ボタン
２６    第１リボン
２７    第２リボン
３１    フック
３２    フック金具
３３    ループ金具
【図１】
2014141755.tif 000003
【図２】
2014141755.tif 000004
【図３】
2014141755.tif 000005
【図４】
2014141755.tif 000006
【図５】
2014141755.tif 000007
【図６】
2014141755.tif 000008
【図７】
2014141755.tif 000009
【図８】
2014141755.tif 000010
【図９】
2014141755.tif 000011
【図１０】
2014141755.tif 000012
【図１１】
2014141755.tif 000013
【図１２】
2014141755.tif 000014
【図１３】
2014141755.tif 000015
【図１４】
2014141755.tif 000016
【図１５】
2014141755.tif 000017